(57)【要約】【課題】  複数の画像データに対して、統一性を持たせた補正を容易に行うことのできる画像処理装置を提供する。【解決手段】  本発明は、処理対象となる複数の画像データを記憶する記憶手段と、前記記憶手段から前記画像データを１つずつ取り出すための取出操作部と、取り出した画像データを表示するための１つの画像表示領域と、表示された画像データに対してオペレータが所望の補正を行うための補正操作部と、からなる補正インタフェース手段とを備え、前記記憶手段に記憶された画像データには序数が割り付けられ、前記取出操作部が操作されると、前記序数に従って順番に前記画像データが前記補正インタフェース手段に取り出される、ことを特徴とする。【選択図】  図４
2007034237.tif 000002
【特許請求の範囲】
【請求項１】
処理対象となる複数の画像データを記憶する記憶手段と、
前記記憶手段から前記画像データを１つずつ取り出すための取出操作部と、取り出した画像データを表示するための１つの画像表示領域と、表示された画像データに対してオペレータが所望の補正を行うための補正操作部と、からなる補正インタフェース手段とを備え、
前記記憶手段に記憶された画像データには序数が割り付けられ、前記取出操作部が操作されると、前記序数に従って順番に前記画像データが前記補正インタフェース手段に取り出される、
ことを特徴とする画像処理装置。
【請求項２】
前記補正インタフェース手段は、特定の前記画像データを登録するための登録操作部と、登録した前記画像データを取り出すための呼出操作部とを更に備える、
ことを特徴とする請求項１に記載の画像処理装置。
【請求項３】
前記補正インタフェース手段は、特定の前記画像データを取り出すための指定操作部を更に備える、
ことを特徴とする請求項１又は２に記載の画像処理装置。
【請求項４】
出力処理済みの画像データを取り出した場合には、前記補正操作部を機能させないことを特徴とする請求項１〜３の何れかに記載の画像処理装置。
【発明の詳細な説明】
【技術分野】
【０００１】
本発明は、画像データに対して色濃度補正等の各種補正を行う画像処理装置に関する。
【背景技術】
【０００２】
近年、ＤＰＥ店等においては、写真フィルムや各種記録メディア等から読み込んだ画像データに対して色濃度補正やコントラスト補正等のデジタル画像処理を施し、該処理後の画像データをプリントしたり、各種メディアに記録できる写真処理装置（画像処理装置）が普及している。
【０００３】
かかる画像処理装置は、通常、ＧＵＩ（グラフィカル・ユーザ・インタフェース）を備えており、複雑になりがちなデジタル画像処理に係る操作を容易にするための環境をユーザに提供している。
【０００４】
図３は、かかるＧＵＩによる操作画面の一例を示している。図３の操作画面（いわゆる「ジャッジ画面」）では、カラーネガフィルム等から読み込まれた画像データ（コマ画像３１）を６コマ分（２行×３列）、一覧（インデックス）表示している。
【０００５】
各コマ画像３１の下側には補正ボタンエリア３２が設けられ、該補正ボタンエリア３２内には、色補正ボタン兼色補正表示部（以下、単に色補正ボタンという。）３３ｙ，３３ｍ，３３ｃ、濃度補正ボタン兼濃度補正表示部（以下、単に濃度補正ボタンという。）３３ｄ及びＤＳＡボタン３４が配置（表示）されている。
【０００６】
色補正ボタン３３ｙ、３３ｍ，３３ｃは、対応するコマ画像３１のそれぞれイエロー（Ｙ）成分、マゼンタ（Ｍ）成分、シアン（Ｃ）成分を補正するためのボタンであり、濃度補正ボタン３３ｄは、画像の濃度を補正するためのボタンである。
【０００７】
ＤＳＡボタン３４は、対応するコマ画像のＤＳＡ（デジタル・シーン・アジャストメントの略。コントラスト、彩度、シャープネス等の補正の総称。）を調整するためのボタンである。
【０００８】
以上の各ボタンの操作方法を説明すると、まず、色補正ボタン３３ｙ，３３ｍ，３３ｃ及び濃度補正ボタン３３ｄについては、補正対象となるコマ画像３１に対応するボタンにマウスカーソル（ポインタＰ）を移動させクリックすると当該ボタンが反転表示し、補正を受け付ける状態（アクティブ状態）となる。かかる状態で、例えば、キーボード上の「↑」キーを押操作すると、その回数毎に当該ボタンに対応する色補正値又は濃度補正値を１段階ずつ増加させることができ、「↓」キーを押操作することで、色補正値又は濃度補正値を１段階ずつ減少させることができる。補正値を変更させると、対応するコマ画像３１にその内容（補正値に応じた色成分又は濃度の増減）が反映される。そして、補正を行ったボタンについては、その変更した補正値が当該ボタン上に表示される（例えば、”−１”、”＋１”等）。尚、”Ｎ”は、デフォルト状態（補正前状態）を示している。
【０００９】
また、ＤＳＡの調整については、補正対象となるコマ画像３１に対応するＤＳＡボタン３４にポインタＰを移動させ、クリックすると、今度は、図示しないＤＳＡ設定画面がポップアップ表示される。ＤＳＡ設定画面は、「コントラスト」、「彩度」、「シャープネス」の各項目毎に補正値の入力が可能となっており、オペレータは、マウスやキーボード等を用いて、各項目の補正値を入力することができる。対応するコマ画像３１には、入力した各補正値の内容が直ちに反映されるので、オペレータは、当該コマ画像３１を見ながら、各項目の補正値を設定できる。
【００１０】
以上のようにジャッジ画面を介して操作することで、オペレータは、所望のコマ画像（画像データ）に対して、色濃度補正やコントラスト補正等のデジタル画像処理を容易に施すことができる。
【発明の開示】
【発明が解決しようとする課題】
【００１１】
ところで、顧客によりＤＰＥ店等に持ち込まれる写真フィルムや記録メディアから読み込んだ画像データは、その撮影シーンが概ね同じである場合が多く、そのような場合は、そのオーダー単位（即ち、一顧客の注文に係る全画像データ）で統一性のある補正を施す必要が生じる。
【００１２】
しかしながら、上記従来のジャッジ画面では、所定のコマ数（例えば６コマ）分の画像を確認しながら補正ができるものの、そのオーダーに係る画像データ全てに統一性（一貫性）のある補正を行うのは容易でなく、オペレータには熟練した技術が必要とされていた。
【００１３】
また、従来のこの種の画像処理装置では、写真プリント等の出力処理が終了した後は、当該出力に係る画像データを上記ジャッジ画面に再表示させることができなかった。したがって、同一オーダーであってもかかる画像データ（出力処理済みの画像データ）を比較対象にすることができず、この点も統一性のある補正を行う上での阻害要因となっていた。
【００１４】
以上の問題に対して、例えば、ジャッジ画面で表示されるコマ画像の数を増やすという対応も考えられる。しかしながら、一画面上に多数のコマ画像が表示されると、かえって、その見比べは困難となり、更に、全てのオーダーに係る画像データを一画面上に表示させることは非現実的であるので、抜本的な解決策とはならない。
【００１５】
本発明は、上記問題を解決すべくなされたものであり、複数の画像データに対して、統一性を持たせた補正を容易に行うことのできる画像処理装置を提供することを目的とする。
【課題を解決するための手段】
【００１６】
本発明に係る画像処理装置は、処理対象となる複数の画像データを記憶する記憶手段と、前記記憶手段から前記画像データを１つずつ取り出すための取出操作部と、取り出した画像データを表示するための１つの画像表示領域と、表示された画像データに対してオペレータが所望の補正を行うための補正操作部と、からなる補正インタフェース手段とを備え、前記記憶手段に記憶された画像データには序数が割り付けられ、前記取出操作部が操作されると、前記序数に従って順番に前記画像データが前記補正インタフェース手段に取り出される、ことを特徴とする。
【００１７】
上記構成の画像処理装置によれば、１つの画像表示領域に前記記憶手段に記憶している全ての画像データを順次切替ながら表示させることができるので、オペレータは、色濃度等の変化を感知し易くなり、色濃度等が他とは異なる画像データを素早く発見することができる。また、かかる画像データに対して適切な補正を容易に行えるため、処理対象となる全ての画像データの補正について、統一性を持たせることが容易となる。
【００１８】
前記記憶手段は、具体的には、所定の記憶容量（例えば、顧客が持ち込んだ処理対象となる画像データ（１オーダーに係る画像データ）全てを記憶することのできる程度の容量）を有するＲＡＭやハードディスク等が該当する。また、かかる記憶手段には、出力処理済みの画像データも記憶されるので、かかる画像データも取り出して前記画像表示領域に表示させることで（即ち、比較の対象とすることで）、作業性や補正の統一性の精度を向上させ得る。
【００１９】
前記取出操作部によって取り出される順番は、前記序数の昇順（「送り」方向）、降順（「戻り」方向）の何れでもよいが、操作性の観点から、例えば、「送り」ボタン及び「戻り」ボタンを設ける等して、何れの順番でも取り出し可能とするのが好ましい。
【００２０】
また、前記補正インタフェース手段は、特定の前記画像データを登録するための登録操作部と、登録した前記画像データを取り出すための呼出操作部とを更に備える、構成とすると、統一性を確認する際の比較対象として最適な画像データを随時表示できるようになり、作業効率の向上が図れる。
【００２１】
また、前記補正インタフェース手段は、特定の前記画像データを取り出すための指定操作部を更に備える、構成とすると、前記取出操作部を用いた順番の送り又は戻しによる取り出しだけでなく、所望の前記画像データを直接指定して取り出すことができ、利便性が向上する。
【００２２】
また、出力処理済みの画像データに対しては、補正処理を行う必要性がないことから、出力処理済みの画像データを取り出した場合には、前記補正操作部を機能させない構成とすると、不必要な処理が行われる可能性を確実に排除できるので好ましい。
【発明の効果】
【００２３】
以上の如く、本発明の画像処理装置によれば、複数の画像データに対して、統一性を持たせた補正を容易に行うことが可能となる。
【発明を実施するための最良の形態】
【００２４】
以下、本発明の一実施形態について図面を参酌しつつ説明する。
【００２５】
図１は、本実施形態に係る画像処理装置を備えた写真処理装置の外観図であり、図２は、該写真処理装置の内部構成を示すブロック図である。本写真処理装置は、写真フィルムＦや記録メディアＭから画像データを読み込み、該画像データに対して色濃度補正やコントラスト補正等のデジタル画像処理を施し、出力用の画像データを生成する画像処理装置１と、該画像処理装置１から出力された画像データを基に、感光材料ＰＡに画像をプリントするプリント装置２とで構成されている。
【００２６】
画像処理装置１は、写真フィルムＦから画像を読み取るフィルムスキャナ３と、メモリカードやＣＤ−Ｒ等の記録メディアＭに対して画像データの読み書き可能なメディアドライブ４ａと、記録メディアＭから読み出した多数の画像データ（画像ファイル）等を記録可能な大容量のハードディスク４ｂ、画像処理装置１の制御を含む本写真処理装置全体を制御する主制御装置５と、該主制御装置５の制御に係る操作画面等を表示するモニタ６及びオペレータからの操作指令を受け付ける入力装置７（キーボード７ａ及びマウス７ｂ）を備えている。尚、モニタ６をタッチパネル方式で構成し、オペレータの指や専用の入力ペン等を使用して操作指令を受け付けるようにすることも可能である。
【００２７】
主制御装置５は、当該制御、演算の主体であるＣＰＵ８、画像処理用プログラム等が記憶されるＲＯＭ９ａ、処理用のワークエリア等として使用されるＲＡＭ９ｂ及び各種外部装置（フィルムスキャナ３、メディアドライブ４ａ、ハードディスク４ｂ、モニタ６及び入力装置７）とのＩ／Ｏ処理を行うＩ／Ｏ処理部１０をその内部に備えている。
【００２８】
プリント装置２は、画像処理装置１によって画像処理された画像データを基に感光材料ＰＡに対して露光処理する露光処理部１１と、露光処理された感光材料ＰＡを現像処理する現像処理部１２と、現像処理された感光材料ＰＡを乾燥処理する乾燥処理部１３と、乾燥処理されて写真となった感光材料ＰＡを仕分処理する仕分処理部１４とで構成されている。
【００２９】
露光処理部１１は、感光材料ＰＡを一対のマガジン１５ａ、１５ｂから引き出し、搬送用ローラ対１６によって下流側に搬送する。そして、ハロゲンランプ等からなる光源１７ａと、該光源１７ａに光ファイバ束１７ｂを介して接続された光シャッタ１７ｃとで構成されるＰＬＺＴ方式の露光装置１７によって、感光材料ＰＡを露光する。尚、露光装置１７は、ＰＬＺＴ方式に限らず、例えば、レーザ方式やＣＲＴ方式等であっても構わない。
【００３０】
現像処理部１２は、感光材料ＰＡに対して、現像、漂白、定着、安定化等の処理を行う。
【００３１】
乾燥処理部１３は、現像処理部１２から送られてくる感光材料ＰＡに熱風装置１８からの熱風を吹き付け、感光材料ＰＡに付着した現象液等を乾燥させる処理を行う。
【００３２】
仕分処理部１４は、露光処理、現像処理及び乾燥処理が施された感光材料ＰＡを大小別に仕分けるサイズ仕分部１９と、該サイズ仕分部１９で仕分けされた小さなサイズの感光材料ＰＡをオーダー毎に仕分けるオーダー仕分部２０とを有している。
【００３３】
サイズ仕分部１９は、大きなサイズの感光材料ＰＡをトレー２１に排出し、小さなサイズの感光材料ＰＡをコンベア２２に搬送する。オーダー仕分部２０は、コンベア２２によって搬送されてくる感光材料ＰＡを各受皿２３に対してオーダー毎に振り分ける。
【００３４】
次に、画像処理装置１による画像処理について説明する。まず、主制御装置５のＲＯＭ９ａにインストールされている画像処理用プログラムをＣＰＵ８が起動させると、モニタ６に図示しないメイン画面が表示される。オペレータは当該メイン画面にて処理対象となる画像データを写真フィルムＦから読み取るか、記録メディアＭから読み取るかの選択を行う。かかる選択により読み込まれた画像データはＲＡＭ９ｂ（記憶手段）の所定領域（画像データ保存エリア）に保存される。その際、主制御装置５は、読み込んだ順番に従い画像データに序数（１〜）を割り付ける。
【００３５】
続いて、オペレータが、メイン画面上のジャッジ画面切替用ボタンをマウス７ｂ等を用いて選択しクリックすると、メイン画面から図３に示すジャッジ画面３０に切り替わる。該ジャッジ画面３０には、読み込んだ画像データの内の６データ分の画像がコマ画像３１として６コマ分表示され、各コマ画像３１の下側には補正ボタンエリア３２が設けられている。該補正ボタンエリア３２内には、色補正ボタン３３ｙ、３３ｍ、３３ｃ、濃度補正ボタン３３ｄ及びＤＳＡボタン３４が配置（表示）されている。尚、色補正ボタン３３ｙ、３３ｍ、３３ｃ、濃度補正ボタン３３ｄ及びＤＳＡボタン３４の各機能及びその操作方法については既に説明済みのためここでは省略する。
【００３６】
顧客は、かかるジャッジ画面３０を介して、出力（写真プリント出力等）を希望する画像データに対して色濃度補正等のデジタル画像処理を施すことができる。ここで補正された（補正が確定した）画像データは、ＲＡＭ９ｂの前記画像データ保存エリアに上書き保存される。また、その補正内容は、対応する画像データに関連付けてＲＡＭ９ｂの所定領域（補正内容保存エリア）に保存される。
【００３７】
ジャッジ画面３０による補正処理後（あるいはその途中）、オペレータは、図４に示す補正チェック画面４０を呼び出す（即ち、表示させる）ことができる。具体的には、図示しない上記メイン画面に設けられた所定のボタン又はジャッジ画面３０に設けられた図示しないボタン等を操作することで呼び出すことができる。尚、画像処理装置１（詳細には主制御装置５）の補正チェック画面４０に係る処理機能部は、補正インタフェース手段を構成する。
【００３８】
補正チェック画面４０には、前記補正内容保存エリアに保存されている画像データが１コマ分表示される画像表示領域４１、表示中の画像データ名（ファイル名）が表示されるファイル名表示エリア４５及び補正ボタンエリア４２が設けられている。該補正ボタンエリア４２内には、色補正ボタン４３ｙ（イエロー成分補正用）、４３ｍ（マゼンタ成分補正用）、４３ｃ（シアン成分補正用）、濃度補正ボタン４３ｄ及びＤＳＡボタン４４（コントラスト、彩度、シャープネス等の補正用）が配置（表示）されている。これらの各ボタンに係る機能及び操作方法は、ジャッジ画面３０の補正ボタンエリア３２に配置される各ボタンと同様である。つまり、オペレータは、画像表示領域４１に表示中の画像データに対して、ジャッジ画面３０を介して行えるのと同様の補正を施すことができる。ここで補正された画像データ及びその補正内容は、ジャッジ画面３０での補正と同様に、前記画像データ保存エリア及び前記補正内容保存エリアにそれぞれ上書き保存される。尚、補正ボタンエリア４２に配置される各ボタンは補正操作部を構成する。
【００３９】
補正ボタンエリア４２の下側には、更に、切替ボタンエリア４６が設けられている。切替ボタンエリア４６内は、登録ボタン４７、切替ボタン４８、戻りボタン４９、送りボタン５０が配置（表示）されている。
【００４０】
取出操作部を構成する戻りボタン４９及び送りボタン５０は、前記画像データ保存エリアから画像データをそれに割り付けられた前記序数に従い順番に取り出すための操作ボタンである。具体的には、オペレータが、マウス７ｂ等を用いて送りボタン５０をクリック操作すると、その時点で画像表示領域４１に表示中の画像データの番号よりも１つ大きい番号の画像データが、前記画像データ保存エリアから取り出され、画像表示領域４１に表示される。一方、戻りボタン４９をクリック操作すると、その時点で画像表示領域４１に表示中の画像データの番号よりも１つ小さい番号の画像データが、前記画像データ保存エリアから取り出され、画像表示領域４１に表示される。また、戻りボタン４９又は送りボタン５０をマウス７ｂ等で押下し続けると、上記画像データの取り出し及び画像表示領域４１への表示に係る処理を高速に行わせることができる。
【００４１】
また、オペレータが、登録ボタン４７（登録操作部）を操作（具体的には、マウス７ｂ等を用いたクリック操作）すると、表示中の画像データが基準画像データとして登録される。登録された基準画像データは、切替ボタン４８（呼出操作部）を操作（具体的には、マウス７ｂ等を用いたクリック操作）することで、随時、呼び出す（即ち、画像表示領域４１に表示させる）ことができる。また、基準画像データの表示中に切替ボタン４８を操作すると、元の画像データ（即ち、当該基準画像データが表示される前に表示されていた画像データ）が表示される。このように、登録ボタン４７及び切替ボタン４８を設けることで、統一性を確認する際の比較対象として最適となる基準画像データを随時表示させ、それを確認することが可能となる。尚、既に基準データが登録された後、登録ボタン４７を操作すると、現在表示中の画像データが新たな基準画像データとして登録されることになる。
【００４２】
また、前記画像データ保存エリアには、出力処理済みの画像データも保存されるが、かかる出力処理済みの画像データが、補正チェック画面４０での操作により取り出される場合には、不要な補正処理が行われるのを防止するため、補正ボタンエリア４２に配置される各ボタンの操作をできなくする制御が行われる。この場合、かかる各ボタンをグレー表示（一般的にボタン等が操作できないことを示す表示状態）等すると、オペレータは当該画像データが出力処理済みであることが即座に認識できるので好ましい。また、これとは別に、出力処理済みの画像データが表示された場合には、補正ボタンエリア４２に配置される各ボタンを非表示にする仕様にしてもよい。
【００４３】
閉じるボタン５１をマウス７ｂ等を用いてクリック操作すると、補正チェック画面４０は閉じ、呼び出し元の操作画面（メイン画面やジャッジ画面３０等）に戻る。
【００４４】
以上のように、本発明の本実施形態に係る画像処理装置１によれば、補正チェック画面４０に、顧客が持ち込んだ処理対象となる画像データ（即ち、１オーダーに係る画像データ）の全てを１画像データずつ画像表示領域４１に順次表示させることができるので、オペレータは、色濃度等が他とは異なる画像データを素早く発見することができる。さらに、かかる画像データに対して適切な補正を容易に行えるため、当該処理対象となる画像データの全てに対して統一性のある補正を施すことが容易となる。
【００４５】
また、比較対象として基準となる画像データを登録でき、これを随時表示させることができるので、統一性のある補正を行うための作業性を更に向上させることができる。
【００４６】
尚、本発明は、上記実施形態に限定されることはなく、本発明の要旨を逸脱しない範囲で種々の変更が可能であることは勿論である。
【００４７】
例えば、上記実施形態では、画像データは、補正チェック画面４０の戻りボタン４９又は送りボタン５０を操作することで、割り付けた序数に従い画像データ保存エリアから順次取り出されていたが、図５で示す補正チェック画面５２のように、指定操作部として、指定番号入力エリア５５及びＯＫボタン５６を設けることで、オペレータが所望する画像データを直接指定して取り出せる仕様とすることも可能である。この場合、オペレータが、キーボード７ａ等を用いて指定番号入力エリア５５に取り出したい（表示させたい）画像データの番号（序数）を入力し、ＯＫボタン５６をマウス７ｂ等を用いてクリック操作すると、指定した番号に係る画像データが、順番に関係なく（即ち、ジャンプして）取り出されて、画像表示領域４１に表示されることになる。この場合、図５に示すように、ファイル名表示エリア４５において、ファイル名と共に対応する番号も表示させるようにすれば、オペレータに当該画像データに割り付けられた番号を容易に認識させることができる。また、その他にも、例えば、最初の番号又は最後の番号に係る画像データを表示させるための操作ボタン等を設ける等してもよい。
【００４８】
また、上記実施形態では、画像データ保存エリア及び補正内容保存エリアとして、ＲＡＭ９ｂの記憶領域を使用していたが、ハードディスク４ｂの記憶領域にこれらのエリアを設けて、使用する構成としてもよい。
【図面の簡単な説明】
【００４９】
【図１】本発明の一実施形態に係る写真処理装置の外観図である。
【図２】同実施形態に係る写真処理装置の概略構成図である。
【図３】同実施形態におけるジャッジ画面３０の一例を示す図である。
【図４】同実施形態における補正チェック画面４０の一例を示す図である。
【図５】他の実施形態における補正チェック画面５２の一例を示す図である。
【符号の説明】
【００５０】
１…画像処理装置、２…プリント装置、３…フィルムスキャナ、４ａ…メディアドライブ、４ｂ…ハードディスク、５…主制御装置、６…モニタ、７…入力装置、８…ＣＰＵ、９ａ…ＲＯＭ、９ｂ…ＲＡＭ、１０…Ｉ／Ｏ処理部、１１…露光処理部、１２…現像処理部、１３…乾燥処理部、１４…仕分処理部、１５ａ，１５ｂ…マガジン、１６…搬送用ローラ対、１７…露光装置、１７ａ…光源、１７ｂ…光ファイバ束、１７ｃ…光シャッタ、１８…熱風装置、１９…サイズ仕分部、２０…オーダー仕分部、２１…トレー、２２…コンベア、２３…受皿、３０…ジャッジ画面、３１…コマ画像、３２（４２）…補正ボタンエリア、３３（４３）ｙ，３３（４３）ｍ，３３（４３）ｃ…色補正ボタン、３３（４３）ｄ…濃度補正ボタン、３４（４４）…ＤＳＡボタン、４０（５２）…補正チェック画面、４５…ファイル名表示エリア、４６…切替ボタンエリア、４７…登録ボタン、４８…切替ボタン、４９…戻りボタン、５０…送りボタン、５１…閉じるボタン、５５…指定番号入力エリア、５６…ＯＫボタン
【図１】
2007034237.tif 000003
【図２】
2007034237.tif 000004
【図３】
2007034237.tif 000005
【図４】
2007034237.tif 000006
【図５】
2007034237.tif 000007